(57)【特許請求の範囲】
【請求項１】
紙葉類を搬送する搬送部材と、
前記搬送部材の回転中心となる回転軸部材と、
前記搬送部材とともに前記回転軸部材を回転中心として回転する搬送ローラとを備え、
前記搬送部材は、前記回転軸部材と平行な中心軸を有する弾性の複数のループ部を有し、
前記複数のループ部のそれぞれは、前記紙葉類に接触しながら弾性変形する際に、隣接する前記ループ部によって支持されるように前記搬送部材の回転方向に配列され、
前記複数のループ部は、前記搬送ローラの外周面よりも径方向に突出する
ことを特徴とする紙葉類取扱装置。
【請求項２】
前記搬送部材は、当該搬送部材を前記回転軸部材に着脱可能に取り付けられるための切り欠きが設けられ、当該切り欠きを挟んだ両側が前記回転方向に分離している
ことを特徴とする請求項１記載の紙葉類取扱装置。
【請求項３】
前記搬送部材は、前記ループ部内に設けられたループ支持部を更に有し、
前記ループ支持部は、前記ループ部が前記紙葉類に接触しながら弾性変形する際に、前記ループ部を支持する
ことを特徴とする請求項１又は２記載の紙葉類取扱装置。
【請求項４】
紙葉類を搬送する搬送部材と、
前記搬送部材の回転中心となる回転軸部材とを備え、
前記搬送部材は、前記回転軸部材と平行な中心軸を有する弾性の複数のループ部を有し、
前記複数のループ部のそれぞれは、前記紙葉類に接触しながら弾性変形する際に、隣接する前記ループ部によって支持されるように前記搬送部材の回転方向に配列され、
前記複数のループ部は、前記回転方向に配列された複数の第１のループ部と、当該複数の第１のループ部とは前記回転軸部材と平行に間隔を隔てて設けられ、前記回転方向に配列された複数の第２のループ部とを含み、
前記複数の第１のループ部のそれぞれは、前記複数の第２のループ部とは前記回転方向にシフトした位置に設けられている
ことを特徴とする紙葉類取扱装置。
【請求項５】
紙葉類を搬送する搬送部材であって、
前記搬送部材の回転中心となる回転軸部材と平行な中心軸を有する弾性の複数のループ部を有し、
前記複数のループ部のそれぞれは、前記紙葉類に接触しながら弾性変形する際に、隣接する前記ループ部によって支持されるように前記搬送部材の回転方向に配列され、
前記複数のループ部は、前記搬送部材とともに前記回転軸部材を回転中心として回転する搬送ローラの外周面よりも径方向に突出する
ことを特徴とする搬送部材。
【請求項６】
紙葉類を搬送する搬送部材であって、
前記搬送部材の回転中心となる回転軸部材と平行な中心軸を有する弾性の複数のループ部を有し、
前記複数のループ部のそれぞれは、前記紙葉類に接触しながら弾性変形する際に、隣接する前記ループ部によって支持されるように前記搬送部材の回転方向に配列され、
前記複数のループ部は、前記回転方向に配列された複数の第１のループ部と、当該複数の第１のループ部とは前記回転軸部材と平行に間隔を隔てて設けられ、前記回転方向に配列された複数の第２のループ部とを含み、
前記複数の第１のループ部のそれぞれは、前記複数の第２のループ部とは前記回転方向にシフトした位置に設けられている
ことを特徴とする搬送部材。
【発明の詳細な説明】
【技術分野】
【０００１】
本発明は、紙葉類を搬送する搬送部材、及び、この搬送部材を備える紙葉類取扱装置に関する。
【背景技術】
【０００２】
従来、回転軸から放射状に延びる羽根部を用いて原稿の給紙を行う手法が知られている。また、このような羽根部がループ状に形成されている分離ローラも知られている（例えば、特許文献１参照）。【０００３】
また、回転シャフトから放射状に延びる弾性羽根部と、この弾性羽根部を支持する弾性支持部とを備え、この弾性支持部が弾性羽根部の形状に沿って湾曲した湾曲部を有し、湾曲部の一端は、一方の弾性羽根部に隣接した外周面に連結され、湾曲部の他端は、他方の弾性羽根部の基端部に連結されている紙葉類集積繰出装置が提案されている（例えば、特許文献２参照）。
【先行技術文献】
【特許文献】
【０００４】
【特許文献１】特開平２−８１２４号公報
【特許文献２】特許第５１１９１３３号公報
【発明の概要】
【発明が解決しようとする課題】
【０００５】
ところで、通常、紙幣等の紙葉類を搬送する場合には、駆動ローラ（又は駆動ベルト）と従動ローラとが紙葉類を挟み込みながら搬送する。しかしながら、磁気ラインセンサなどの部材が紙葉類に近接して設けられる場所では、紙葉類を駆動ローラと従動ローラとで挟み込みながら搬送することができない。【０００６】
そのため、磁気ラインセンサに対向する搬送部材には、従動ローラと対向しない分、強い搬送力が求められる。【０００７】
しかしながら、上述のようなループ状の羽根部は、あくまで弾性を有し、搬送のために弾性変形するものであるため、羽根部自体に強い搬送力を持たせながら紙葉類を搬送することは困難である。同様に、上述のような弾性羽根部及び弾性支持部を用いても、弾性支持部は、弾性羽根部とともに弾性変形するものであるため、弾性羽根部及び弾性支持部に強い搬送力を持たせながら紙葉類を搬送することは困難である。【０００８】
本発明の目的は、このような事情に鑑みてなされたものであり、強い搬送力を有する搬送部材、及び、この搬送部材を備える紙葉類取扱装置を提供することである。
【課題を解決するための手段】
【０００９】
１つの態様では、紙葉類取扱装置は、紙葉類を搬送する搬送部材と、前記搬送部材の回転中心となる回転軸部材とを備え、前記搬送部材は、前記回転軸部材と平行な中心軸を有する弾性の複数のループ部を有し、前記複数のループ部のそれぞれは、前記紙葉類に接触しながら弾性変形する際に、隣接する前記ループ部によって支持されるように前記搬送部材の回転方向に配列されている。【００１０】
他の１つの態様では、搬送部材は、紙葉類を搬送する搬送部材であって、前記搬送部材の回転中心となる回転軸部材と平行な中心軸を有する弾性の複数のループ部を有し、前記複数のループ部のそれぞれは、前記紙葉類に接触しながら弾性変形する際に、隣接する前記ループ部によって支持されるように前記搬送部材の回転方向に配列されている。
【発明の効果】
【００１１】
前記態様によれば、強い搬送力を有する搬送部材、及び、この搬送部材を備える紙葉類取扱装置を提供することができる。
【図面の簡単な説明】
【００１２】
【図１】第１実施形態に係る紙葉類取扱装置を示す左側面図である。
【図２Ａ】第１実施形態におけるトップモジュール及び取り込み兼リサイクルモジュールの内部構造を示す右側面側斜視図（その１）である。
【図２Ｂ】第１実施形態におけるトップモジュール及び取り込み兼リサイクルモジュールの内部構造を示す右側面側斜視図（その２）である。
【図３Ａ】第１実施形態における、搬送部材、回転軸部材、及び搬送ローラを示す右側面側斜視図である。
【図３Ｂ】第１実施形態における、搬送部材、回転軸部材、及び搬送ローラを示す平面図である。
【図４Ａ】第１実施形態に係る搬送部材を示す右側面図である。
【図４Ｂ】第１実施形態に係る搬送部材を示す右側面側斜視図である。
【図４Ｃ】第１実施形態に係る搬送部材を示す左側面側斜視図である。
【図４Ｄ】第１実施形態に係る搬送部材を示す背面図である。
【図５Ａ】第２実施形態に係る搬送部材を示す左側面図である。
【図５Ｂ】第２実施形態に係る搬送部材を示す右側面側斜視図である。
【図５Ｃ】第２実施形態に係る搬送部材を示す左側面側斜視図である。
【図５Ｄ】第２実施形態に係る搬送部材を示す背面図である。
【図６Ａ】第３実施形態に係る搬送部材を示す右側面図である。
【図６Ｂ】第３実施形態に係る搬送部材を示す背面図である。
【発明を実施するための形態】
【００１３】
以下、本発明の第１〜第３実施形態に係る紙葉類取扱装置及び搬送部材について、図面を参照しながら説明する。
【００１４】
＜第１実施形態＞
図１は、紙葉類取扱装置１を示す左側面図である。
【００１５】
図２Ａ及び図２Ｂは、紙葉類取扱装置１のトップモジュールＭ１及び取り込み兼リサイクルモジュールＭ２の内部構造を示す右側面側斜視図である。
【００１６】
なお、図１〜図２Ｂ、並びに、後述する図３Ａ〜図６Ｂには、説明の便宜上、前後方向、左右方向、及び上下方向を図示する。一例ではあるが、前後左右の方向は水平方向であり、上下の方向は鉛直方向である。
【００１７】
図１に示すように、紙葉類取扱装置１は、上から順に、トップモジュールＭ１、取り込み兼リサイクルモジュールＭ２、リサイクルモジュールＭ３，Ｍ４、補充モジュールＭ５、及び回収モジュールＭ６を備える。
【００１８】
トップモジュールＭ１には、図２Ａに示すように入金位置における紙幣Ｂを入金するための入金部Ｍ１ｂと、図２Ｂに示すように出金位置における紙幣Ｂを出金するための出金部Ｍ１ａとが、前方に突出するように設けられている。なお、紙幣Ｂは、紙葉類の一例である。この紙葉類としては、紙幣Ｂに限られず、帳票、伝票、枚葉紙などであってもよい。その場合、出金部Ｍ１ｂは、排出部として機能し、入金部Ｍ１ａは、投入部として機能することになる。
【００１９】
また、トップモジュールＭ１の内部には、紙幣Ｂを搬送する搬送部、紙幣Ｂを鑑別する鑑別部などが配置されている。
【００２０】
取り込み兼リサイクルモジュールＭ２は、顧客が出金部Ｍ１ａに出金された紙幣Ｂを取り忘れて、この紙幣Ｂの残留が検知された場合に、この残留する紙幣Ｂを前部に取り込むように搬送する。
【００２１】
取り込み兼リサイクルモジュールＭ２の後部、並びに、リサイクルモジュールＭ３，Ｍ４の前部及び後部のそれぞれには、例えば紙幣Ｂをフィルムで挟んで巻き付けて収容する図示しないリサイクル紙幣収容部が配置されている。
【００２２】
補充モジュールＭ５は、出金に利用される紙幣Ｂを収容する。
回収モジュールＭ６は、入金された紙幣Ｂのうちリサイクルされない紙幣Ｂを収容する。
【００２３】
なお、上述の紙葉類取扱装置１の構成は、あくまで一例であり、紙葉類取扱装置１としては、紙幣Ｂを搬送する搬送部、或いは、紙幣Ｂに鑑別、検査などの何らかの処理を行う処理部などを有するものであればよい。
【００２４】
図３Ａ及び図３Ｂは、搬送部材１１、回転軸部材１２、及び搬送ローラ１３を示す右側面側斜視図及び平面図である。
【００２５】
図４Ａ〜図４Ｄは、搬送部材１１を示す右側面図、右側面側斜視図、左側面側斜視図、及び背面図である。
【００２６】
図３Ａ及び図３Ｂに示す搬送部材１１、回転軸部材１２、及び搬送ローラ１３は、例えばトップモジュールＭ１内に配置されている。
【００２７】
図４Ａ〜図４Ｃに示すように、搬送部材１１は、弾性の複数（例えば８つ）のループ部１１ａを有し、図４Ａに示す紙幣Ｂを搬送する。搬送部材１１は、例えばゴムなどの弾性部材からなる。
【００２８】
複数のループ部１１ａは、回転軸部材１２と平行な中心軸を有し、紙幣Ｂに接触する。すなわち、複数のループ部１１ａは、図４Ａ〜図４Ｃにおける左右方向に貫通する中空部を有する。
【００２９】
図４Ａに示すように、複数のループ部１１ａのそれぞれは、２点鎖線で示す磁気ラインセンサ１００との間に挟み込んだ紙幣Ｂに接触しながら弾性変形する際に（二点鎖線で示すループ部１１ａ−１参照）、隣接するループ部１１ａによって支持されるように搬送部材１１の回転方向に配列されている。なお、ループ部１１ａが紙幣Ｂを介して又は紙幣Ｂを介さずに磁気ラインセンサ１００に接触すると、変形及びすべりが発生するが、隣接する（後続の）弾性のループ部１１ａに接触し、支持されるため、搬送能力が向上する。
【００３０】
磁気ラインセンサ１００は、搬送部材１１に対向するように配置されている対向部材の一例である。この対向部材は、従動ローラ等の搬送部材ではなく、搬送ガイドプレートなどの搬送力を有さない部材である。
【００３１】
紙幣Ｂの先端は、互いに隣接する２つのループ部１１ａ，１１ａの間に挟み込まれながら磁気ラインセンサ１００に向けて搬送されることが望ましい。これにより、紙幣Ｂの先端が磁気ラインセンサ１００から遠ざかって搬送されてしまっても、互いに隣接する２つのループ部１１ａ，１１ａが紙幣Ｂを磁気ラインセンサ１００に向けてすくい上げることができる。そのため、紙幣Ｂのジャムを抑制することもできる。なお、本第１実施形態のループ部１１ａを有する搬送部材１１が配置されずに搬送ローラ１３のみによって紙幣Ｂが搬送される場合には、紙幣Ｂの先端が磁気ラインセンサ１００から遠ざかって搬送されると、搬送ローラ１３に接触し、ジャム要因となる。
【００３２】
互いに隣接する２つのループ部１１ａ，１１ａの間には、回転方向の間隔があるが、間隔を隔てずに連続的に設けられていてもよい。
【００３３】
図４Ｂ及び図４Ｄに示すように、搬送部材１１には、結束用溝１１ｂが設けられている。この結束用溝１１ｂには、図示しない結束バンドなどの結束部材が挿入される。この結束部材は、結束用溝１１ｂに巻きつけられることで、搬送部材１１を回転軸部材１２に固定する。
【００３４】
図４Ａ及び図４Ｂに示すように、搬送部材１１の右側面には、搬送部材１１の径方向（図４Ａ及び図４Ｂにおける上下方向）の全体に亘って延びる位置決め用溝１１ｃが設けられている。この位置決め用溝１１ｃには、図３Ａ及び図３Ｂに示す回転軸部材１２から互いに反対側に突出する２つの位置決めピン１２ａが挿入される。これにより、搬送部材１１は、回転軸部材１２に対して回転方向の位置決めがされた状態で、回転軸部材１２と一体に回転する。
【００３５】
図４Ａ及び図４Ｃに示すように、搬送部材１１には、この搬送部材１１を回転軸部材１２に着脱可能に取り付けられるための切り欠き１１ｄが設けられている。搬送部材１１は、切り欠き１１ｄを挟んだ両側が回転方向に分離している。
【００３６】
搬送部材１１は、弾性を有するため、例えば人の手によって切り欠き１１ｄが大きく拡げられた状態で、回転軸部材１２から取り外される。また、搬送部材１１は、例えば人の手によって切り欠き１１ｄが大きく拡げられた状態で、回転軸部材１２に取り付けられる。
【００３７】
図３Ａ及び図３Ｂに示す搬送ローラ１３は、搬送部材１１とともに回転軸部材１２を回転中心として回転する。一例ではあるが、２つの搬送ローラ１３が搬送部材１１を挟み込むように配置されている。２つの搬送ローラ１３及び単一の搬送部材１１は、図４Ａに示す磁気ラインセンサ１００に対向するように配置されている。
【００３８】
搬送部材１１は、単一の回転軸部材１２に複数配置されていてもよい。ループ部１１ａは、図４Ａに二点鎖線で示す搬送ローラ１３の外周面よりも径方向に突出する。なお、搬送ローラ１３は、弾性のローラであることが望ましく、例えばブラシローラである。
【００３９】
以上説明した第１実施形態では、紙葉類取扱装置１は、紙葉類の一例である紙幣Ｂを搬送する搬送部材１１と、この搬送部材１１の回転中心となる回転軸部材１２とを備え、搬送部材１１は、回転軸部材１２と平行な中心軸を有する弾性の複数のループ部１１ａを有し、この複数のループ部１１ａのそれぞれは、紙幣Ｂに接触しながら弾性変形する際に、隣接するループ部１１ａによって支持されるように搬送部材１１の回転方向に配列されている。これにより、隣接するループ部１１ａによって支持されたループ部１１ａが弾性変形しながら紙幣Ｂを搬送することができるため、強い搬送力で紙幣Ｂを搬送することができる。
【００４０】
また、本第１実施形態では、紙葉類取扱装置１は、搬送部材１１とともに回転軸部材１２を回転中心として回転する搬送ローラ１３を更に備え、複数のループ部１１ａは、搬送ローラ１３の外周面よりも径方向に突出する。これにより、ループ部１１ａを有する搬送部材１１と搬送ローラ１３とによって紙幣Ｂを搬送することができるため、より強い搬送力で紙幣Ｂを搬送することができる。
【００４１】
また、本第１実施形態では、搬送部材１１は、この搬送部材１１を回転軸部材１２に着脱可能に取り付けられるための切り欠き１１ｄが設けられ、この切り欠き１１ｄを挟んだ両側が回転方向に分離している。これにより、搬送部材１１を回転軸部材１２に簡単に着脱することができる。
【００４２】
＜第２実施形態＞
図５Ａ〜図５Ｄは、搬送部材２１を示す左側面図、右側面側斜視図、左側面側斜視図、及び背面図である。
【００４３】
本第２実施形態では、図１〜図２Ｂに示す紙葉類取扱装置１、並びに図３Ａ及び図３Ｂに示す回転軸部材１２及び搬送ローラ１３については上述の第１実施形態と同様にすることができるため、上述の第１実施形態に係る搬送部材１１と、本第２実施形態に係る搬送部材２１との相違点を中心に説明する。
【００４４】
図５Ａ〜図５Ｃに示すように、搬送部材２１は、弾性の複数（例えば８つ）のループ部２１ａを有し、図５Ａに示す紙幣Ｂを搬送する。
【００４５】
複数のループ部２１ａのそれぞれの内部には、ループ支持部２１ｅが設けられている。このループ支持部２１ｅは、ループ部２１ａの中央（中心軸）近傍まで搬送部材２１の径方向外側に突出する。
【００４６】
図５Ａに示すように、複数のループ部２１ａのそれぞれは、２点鎖線で示す磁気ラインセンサ１００との間に挟み込んだ紙幣Ｂに接触しながら弾性変形する際に（二点鎖線で示すループ部２１ａ−１参照）、ループ支持部２１ｅ及び隣接するループ部２１ａによって支持されるように搬送部材２１の回転方向に配列されている。
【００４７】
図５Ｂ及び図５Ｄに示すように、搬送部材２１には、結束用溝２１ｂが設けられている。この結束用溝２１ｂには、図示しない結束バンドなどの結束部材が挿入される。この結束部材は、結束用溝２１ｂに巻きつけられることで、搬送部材２１を図３Ａ及び図３Ｂに示す回転軸部材１２に固定する。
【００４８】
図５Ｂに示すように、搬送部材２１の右側面には、搬送部材２１の径方向（図５Ｂにおける上下方向）の全体に亘って延びる位置決め用溝２１ｃが設けられている。この位置決め用溝２１ｃには、図３Ｂに示す回転軸部材１２から互いに反対側に突出する２つの位置決めピン１２ａが挿入される。これにより、搬送部材２１は、回転軸部材１２に対して回転方向の位置決めがされた状態で、回転軸部材１２と一体に回転する。
【００４９】
図５Ａ及び図５Ｃに示すように、搬送部材２１には、この搬送部材２１を回転軸部材１２に着脱可能に取り付けられるための切り欠き２１ｄが設けられている。搬送部材２１は、切り欠き２１ｄを挟んだ両側が回転方向に分離している。
【００５０】
以上説明した第２実施形態では、上述の第１実施形態と同様の事項については同様の効果、すなわち、隣接するループ部２１ａによって支持されたループ部２１ａが弾性変形しながら紙幣Ｂを搬送することができるため、搬送部材２１は、強い搬送力で紙幣Ｂを搬送することができるなどの効果を得ることができる。
【００５１】
また、本第２実施形態では、搬送部材２１は、ループ部２１ａ内に設けられたループ支持部２１ｅを更に有し、このループ支持部２１ｅは、ループ部２１ａが紙幣Ｂに接触しながら弾性変形する際に、ループ部２１ａを支持する。これにより、ループ部２１ａを、隣接するループ部２１ａのみならず、ループ支持部２１ｅによっても支持することができるため、より強い搬送力で紙幣Ｂを搬送することができる。
【００５２】
＜第３実施形態＞
図６Ａ及び図６Ｂは、搬送部材３１を示す右側面図及び背面図である。
【００５３】
本第３実施形態においても、紙葉類取扱装置１、回転軸部材１２、及び搬送ローラ１３については上述の第１実施形態と同様にすることができるため、上述の第１実施形態に係る搬送部材１１と、本第３実施形態に係る搬送部材３１との相違点を中心に説明する。
【００５４】
図６Ａ及び図６Ｂに示すように、搬送部材３１は、回転方向に配列された複数（例えば８つ）の第１のループ部３１ａと、この複数の第１のループ部３１ａとは図３Ａ及び図３Ｂに示す回転軸部材１２と平行に、すなわち左右方向に間隔を隔てて設けられ、回転方向に配列された複数（例えば８つ）の第２のループ部３１ｅとを有する。
【００５５】
複数の第１のループ部３１ａのそれぞれは、搬送部材３１の回転方向において、２つの第２のループ部３１ｅの中央に設けられている。このように、複数の第１のループ部３１ａのそれぞれは、複数の第２のループ部３１ｅとは回転方向にシフトした位置に設けられているとよい。
【００５６】
なお、第１のループ部３１ａ及び第２のループ部３１ｅのうち少なくとも一方の内部に、第２実施形態において述べたループ支持部２１ｅが設けられていてもよい。
【００５７】
図６Ａに示すように、複数の第１のループ部３１ａのそれぞれは、上述の図４Ａ等に二点鎖線で示す磁気ラインセンサ１００との間に挟み込んだ紙幣Ｂに接触しながら弾性変形する際に、隣接する第１のループ部３１ａによって支持されるように搬送部材３１の回転方向に配列されている。
【００５８】
同様に、複数の第２のループ部３１ｅのそれぞれは、磁気ラインセンサ１００との間に挟み込んだ紙幣Ｂに接触しながら弾性変形する際に、隣接する第２のループ部３１ｅによって支持されるように搬送部材３１の回転方向に配列されている。
【００５９】
図６Ｂに示すように、搬送部材３１には、結束用溝３１ｂが設けられている。この結束用溝３１ｂには、図示しない結束バンドなどの結束部材が挿入される。この結束部材は、結束用溝３１ｂに巻きつけられることで、搬送部材３１を図３Ａ及び図３Ｂに示す回転軸部材１２に固定する。
【００６０】
図６Ａに示すように、搬送部材３１の右側面には、搬送部材３１の径方向（図６Ａにおける上下方向）の全体に亘って延びる位置決め用溝３１ｃが設けられている。この位置決め用溝３１ｃには、図３Ｂに示す回転軸部材１２から互いに反対側に突出する２つの位置決めピン１２ａが挿入される。これにより、搬送部材３１は、回転軸部材１２に対して回転方向の位置決めがされた状態で、回転軸部材１２と一体に回転する。
【００６１】
図６Ａに示すように、搬送部材３１には、この搬送部材３１を回転軸部材１２に着脱可能に取り付けられるための切り欠き３１ｄが設けられている。搬送部材３１は、切り欠き３１ｄを挟んだ両側が回転方向に分離している。
【００６２】
以上説明した第３実施形態では、上述の第１実施形態と同様の事項については同様の効果、すなわち、隣接するループ部（第１のループ部３１ａ又は第２のループ部３１ｅ）によって支持されたループ部が弾性変形しながら紙幣Ｂを搬送することができるため、搬送部材３１は、強い搬送力で紙幣Ｂを搬送することができるなどの効果を得ることができる。
【００６３】
また、本第３実施形態では、搬送部材３１が有する複数のループ部は、回転方向に配列された複数の第１のループ部３１ａと、この複数の第１のループ部３１ａとは回転軸部材１２と平行に間隔を隔てて設けられ、回転方向に配列された複数の第２のループ部３１ｅとを含み、複数の第１のループ部３１ａのそれぞれは、複数の第２のループ部３１ｅとは回転方向にシフトした位置に設けられている。これにより、隣接する第１のループ部３１ａによって支持される第１のループ部３１ａのみならず、隣接する第２のループ部３１ｅによって支持される第２のループ部３１ｅによっても紙幣Ｂを搬送することができるため、より強い搬送力で紙幣Ｂを搬送することができる。
【００６４】
なお、以上説明した第１〜第３実施形態のループ部１１ａ，２１ａ、第１のループ部３１ａ、及び第２のループ部３１ｅは、搬送部材１１，２１，３１の径方向に１つのみ設けられているが、例えばハニカム形状のように搬送部材１１，２１，３１の径方向及び回転方向に複数連なって設けられていてもよい。
【００６５】
また、本発明は、上述した第１〜第３実施形態そのままに限定されるものではなく、実施段階でのその要旨を逸脱しない範囲で構成要素を変形して具体化することができる。また、第１〜第３実施形態に開示されている複数の構成要素の適宜な組み合わせにより、種々の発明を形成することができる。例えば、第１〜第３実施形態に示される全構成要素を適宜組み合わせてもよい。このように、発明の趣旨を逸脱しない範囲内において発明の種々の変形や応用が可能である。
【符号の説明】
【００６６】
１      紙葉類取扱装置
１１      搬送部材
１１ａ      ループ部
１１ｂ      結束用溝
１１ｃ      位置決め用溝
１１ｄ      切り欠き
１２      回転軸部材
１２ａ      位置決めピン
１３      搬送ローラ
２１      搬送部材
２１ａ      ループ部
２１ｂ      結束用溝
２１ｃ      位置決め用溝
２１ｄ      切り欠き
２１ｅ      ループ支持部
３１      搬送部材
３１ａ      第１のループ部
３１ｂ      結束用溝
３１ｃ      位置決め用溝
３１ｄ      切り欠き
３１ｅ      第２のループ部
１００      磁気ラインセンサ
Ｂ      紙幣
Ｍ１      トップモジュール
Ｍ１ａ      出金部
Ｍ１ｂ      入金部
Ｍ２      取り込み兼リサイクルモジュール
Ｍ２ａ      取り込み収容部
Ｍ３      リサイクルモジュール
Ｍ４      リサイクルモジュール
Ｍ５      補充モジュール
Ｍ６      回収モジュール
【図１】
0006989714.tif 000002
【図２Ａ】
0006989714.tif 000003
【図２Ｂ】
0006989714.tif 000004
【図３Ａ】
0006989714.tif 000005
【図３Ｂ】
0006989714.tif 000006
【図４Ａ】
0006989714.tif 000007
【図４Ｂ】
0006989714.tif 000008
【図４Ｃ】
0006989714.tif 000009
【図４Ｄ】
0006989714.tif 000010
【図５Ａ】
0006989714.tif 000011
【図５Ｂ】
0006989714.tif 000012
【図５Ｃ】
0006989714.tif 000013
【図５Ｄ】
0006989714.tif 000014
【図６Ａ】
0006989714.tif 000015
【図６Ｂ】
0006989714.tif 000016